(57)【要約】【課題】  入浴する際に簡単に且つ短時間に身に付けたり、外したりすることができるボディーキャップを提供すること。【解決手段】  シート状部材を筒状にした筒状部材２を備え、筒状部材２の上端部及び下端部には、伸縮自在な上伸縮部６及び下伸縮部８が設けられている。筒状部材４の上伸縮部６は身体の胸の上側に装着され、その下伸縮部８は身体の膝上に装着され、筒状部材４によって身体の胸から膝上までを覆うようにする。筒状部材４には身体へのフィット感を高めるために中間伸縮部１０，１２が設けられる。【選択図】  図２
0003116251.tif 000002
【実用新案登録請求の範囲】
【請求項１】
シート状部材を筒状にした筒状部材を備え、前記筒状部材の上端部及び下端部には、伸縮自在な上伸縮部及び下伸縮部が設けられ、前記筒状部材の前記上伸縮部は身体の胸の上側に装着し、その下伸縮部は身体の膝上に装着し、前記筒状部材によって身体の胸から膝上までを覆うようにしたことを特徴とするボディーキャップ
【請求項２】
前記筒状部材は、少なくとも片面に撥水加工又は防水加工が施されていることを特徴とする請求項１に記載のボディーキャップ。
【請求項３】
前記シート状部材は、合成樹脂シート、合成繊維織布又は天然繊維織布から形成されていることを特徴とする請求項１又は２に記載のボディーキャップ。
【請求項４】
前記筒状部材の前記上伸縮部と前記下伸縮部との間に、少なくとも一つの中間伸縮部が設けられていることを特徴とする請求項１〜３のいずれかに記載のボディーキャップ。
【請求項５】
前記筒状部材の前記上伸縮部と前記下伸縮部との間に二つの中間伸縮部が設けられ、前記中間伸縮部の一方は身体の胸下に装着され、それらの他方は下腹に装着されることを特徴とする請求項４に記載のボディーキャップ。
【請求項６】
前記筒状部材の伸縮部は、平ゴム、ゴム紐又は紐を用いて伸縮自在に構成されていることを特徴とする請求項１〜５のいずれかに記載のボディーキャップ。
【請求項７】
前記筒状部材の前記上伸縮部及び／又は前記下伸縮部には引出し用穴が設けられ、前記引出し用穴を通して引き出すことによって、前記平ゴム、前記ゴム紐又は前記紐の長さが調整されることを特徴とする請求項６に記載のボディーキャップ。
【請求項８】
前記筒状部材には紫外線の進入を防止するためのＵＶカット加工が施されていることを特徴とする請求項１〜７のいずれかに記載のボディーキャップ。
【考案の詳細な説明】
【技術分野】
【０００１】
本考案は、身体の一部を覆うために身に付けるボディーキャップに関する。
【背景技術】
【０００２】
露天風呂などで入浴する場合、脱衣場で服を脱ぎ、タオル、バスタオルなどの布で体の一部を覆い隠して浴槽まで行って入浴している。特に、乳がんで乳房を切除した人や体に障害のある人などにおいては、手術により切除した部位や障害のある部位を他人に見られたくなく、このような人にとっては、バスタオルなどの布を用いて身体のこのような部位を隠して入浴している。
【考案の開示】
【考案が解決しようとする課題】
【０００３】
しかし、バスタオルを用いて身体の一部を被うと、バスタオルははだけやすく、巻いたバスタオルがはだけて隠していた部位が露出してしまったりする問題や、バスタオルを身体に巻いた状態では寸胴状態となって見た目が悪くなってしまう問題がある。また、バスタオルを身に付けたままでは浴槽に入れず、浴槽に入りながら巻いたバスタオルを取り外すことは難しく、取り外す際に隠していた部位が露出してしまうという問題がある。更に、手荷物としてバスタオルを持つとかさばるなどの欠点がある。
【０００４】
このようなことから、湯浴み着としてのパジャマタイプのものは存在するが、来たまま入ることのみを前提にしたものであり、それ故に、裸で入浴したくなったときは脱衣所まで戻って脱がなければならず、大変面倒となる欠点がある。
【０００５】
本発明の目的は、入浴する際に簡単に且つ短時間に身に付けたり、外したりすることができるボディーキャップを提供することである。
【課題を解決するための手段】
【０００６】
本考案の請求項１に記載のボディーキャップは、シート状部材を筒状にした筒状部材を備え、前記筒状部材の上端部及び下端部には、伸縮自在な上伸縮部及び下伸縮部が設けられ、前記筒状部材の前記上伸縮部は身体の胸の上側に装着し、その下伸縮部は身体の膝上に装着し、前記筒状部材によって身体の胸から膝上までを覆うようにしたことを特徴とする。
【０００７】
また、本考案の請求項２に記載のボディーキャップでは、前記筒状部材は、少なくとも片面に撥水加工又は防水加工が施されていることを特徴とする。
また、本考案の請求項３に記載のボディーキャップでは、前記シート状部材は、合成樹脂シート、合成繊維織布又は天然繊維織布から形成されていることを特徴とする。
【０００８】
また、本考案の請求項４に記載のボディーキャップでは、前記筒状部材の前記上伸縮部と前記下伸縮部との間に、少なくとも一つの中間伸縮部が設けられていることを特徴とする。
【０００９】
また、本考案の請求項５に記載のボディーキャップでは、前記筒状部材の前記上伸縮部と前記下伸縮部との間に二つの中間伸縮部が設けられ、前記中間伸縮部の一方は身体の胸下に装着され、それらの他方は下腹に装着されることを特徴とする。
【００１０】
また、本考案の請求項６に記載のボディーキャップでは、前記筒状部材の伸縮部は、平ゴム、ゴム紐又は紐を用いて伸縮自在に構成されていることを特徴とする。
また、本考案の請求項７に記載のボディーキャップでは、前記筒状部材の前記上伸縮部及び／又は前記下伸縮部には引出し用穴が設けられ、前記引出し用穴を通して引き出すことによって、前記平ゴム、前記ゴム紐又は前記紐の長さが調整されることを特徴とする。
【００１１】
また、本考案の請求項８に記載のボディーキャップでは、前記筒状部材には紫外線の進入を防止するためのＵＶカット加工が施されていることを特徴とする。
【考案の効果】
【００１２】
本考案の請求項１に記載のボディーキャップによれば、筒状部材の上端部及び下端部に上伸縮部及び下伸縮部が設けられているので、これら上伸縮部及び下伸縮部を広げて身体を覆うようにすることによって身に付けることができ、また上伸縮部及び下伸縮部を広げて持ち上げることによって身体から外すことができ、これらのことを簡単に且つ短時間に行うことができる。また、このように装着した状態においては、上伸縮部が胸の上側に位置して身体にフィットし、また下伸縮部は膝上に位置して身体にフィットするので、身体の下側にずれることなく、胸から膝下までを覆い隠すことができ、特に乳がんで乳房を切除した人にとっては切除した部位を覆い隠すことができる。尚、筒状部材は、例えばシート状部材の両端部を縫い合わせることによって形成することができる。
【００１３】
また、本考案の請求項２に記載のボディーキャップによれば、筒状部材の少なくとも片面に撥水加工又は防水加工が施されているので、ボディーキャップを身に付けて入浴した際においても筒状部材が水分を吸収することが少なく、水分の重みでもって身に付けたボディーキャップがずり下がることを防止することができる。このような撥水加工又は防水加工は、筒状部材の外面に施すのが好ましいが、その内面に又は内面と外面の双方に施すようにしてもよい。
【００１４】
また、本考案の請求項３に記載のボディーキャップによれば、筒状部材を形成するシート状部材を合成樹脂シート、合成繊維織布又は天然繊維織布からシート状部材を形成することができる。
【００１５】
また、本考案の請求項４に記載のボディーキャップによれば、筒状部材の上伸縮部及び下伸縮部の間にも少なくとも一つの中間伸縮部が設けられているので、この中間伸縮部においても身体にフィットし、身に付けたボディーキャップのずり下がりを効果的に抑えることができる。
【００１６】
また、本考案の請求項５に記載のボディーキャップによれば、一方の中間伸縮部は身体の胸下に位置し、他方の中間伸縮部は身体の下腹に位置しているので、筒状部材は胸の上側（上伸縮部）、胸下（一方の中間伸縮部）、下腹（他方の中間伸縮部）及び膝上（下伸縮部）において身体にフィットし、装着による違和感を少なくしながらボディーキャップのずり下がりをより効果的に抑えることができる。
【００１７】
また、本考案の請求項６に記載のボディーキャップによれば、伸縮部に平ゴム、ゴム紐又は紐を用いているので、これらによって身体にフィットする伸縮自在な構造とすることができる。
【００１８】
また、本考案の請求項７に記載のボディーキャップによれば、筒状部材の上伸縮部（及び／又は下伸縮部）に設けられた引出し穴を通して平ゴム、ゴム紐又は紐を引き出して長さを調整することができる。そして、筒状部材の上端部（及び／又は下端部）の大きさを小さくすることによって、このボディーキャップを頭部に装着することができ、身体から外したボディーキャップを頭部に装着することによって、入浴中に湯に浸かるのを防止することができ、また浴槽から出る際には頭部に装着していたボディーキャップによって身体を簡単に覆うことができ、非常に使い勝手の良いものとなる。
【００１９】
更に、本考案の請求項８に記載のボディーキャップによれば、筒状部材にＵＶカット加工が施されているので、紫外線の進入が防止され、入浴用のみでなく、海水浴、プールなどにおける水着の上着用などとして用いることもできる。
【考案を実施するための最良の形態】
【００２０】
以下、添付図面を参照して、本考案に従うボディーキャップの実施形態について説明する。図１は、本考案のボディーキャップの第１の実施形態を示す正面図であり、図２は、図１のボディーキャップを身に付けた状態を示す図である。
【００２１】
図１及び図２において、図示のボディーキャップ２は、筒状に形成された筒状部材４を備えており、このような筒状部材４は、例えばシート状部材の両端部を縫い合わせることによって形成することができる。このシート状部材は、ポリエチレン、ポリプロピレン、ポリ塩化ビニルなどの合成樹脂シートや、ナイロン繊維、ポリエチレン系繊維、ポリエステル系繊維、アセテート繊維などを用いた合成繊維織布や、綿、絹などを用いた天然繊維織布から形成することができ、身体の一部が透けて見えないように不透明な素材から形成される。
【００２２】
このボディーキャップ２は、主として入浴するときに身に付けるので、少なくともその片面、好ましくは外面に撥水加工又は防水加工を施すのが好ましい。撥水加工（又は防水加工）はそれ自体周知の加工方法でよく、このように撥水加工（又は防水加工）を施すことによって、筒状部材４が水分を吸収するのを防止することができ、吸収した水分によって筒状部材４が重くなってずり下がるのを防止することができる。このように筒状部材４の外面に撥水加工（又は防水加工）を施すことによって、片面にもかかわらず水分の吸収を効果敵に防止することができ、水分の吸収を一層防止するためには、筒状部材４の外面及び内面に撥水加工（又は防水加工）を施すことができる。
【００２３】
この筒状部材４には、身体に所要の通りに装着することができるように、その上端部に上伸縮部６が、またその下端部に下伸縮部８が設けられている。この実施形態では、上伸縮部６及び下伸縮部８にはゴム紐（図示せず）が通してあり、このゴム紐の伸縮によって上伸縮部６及び下伸縮部８が伸縮自在になっている。尚、ゴム紐に代えて、平ゴム、紐などを用いて伸縮自在とすることもできる。
【００２４】
この実施形態では、筒状部材４の中間部、即ち上伸縮部６と下伸縮部８との間の部位に二つの中間伸縮部１０，１２が設けられている。一方（上側）の中間伸縮部１０は、身体に装着したときに胸の下側（所謂、胸下）に位置するように設けられ、また他方（下側）の中間伸縮部１２は、身体に装着したときに下腹に位置するように設けられている（図２参照）。これら中間伸縮部１０，１２も上伸縮部６及び下伸縮部８と同様に構成され、例えばゴム紐（図示せず）を用いて伸縮自在に構成される。
【００２５】
このような筒状部材４に柄模様などを施すようにしてもよく、また色模様などを施すようにしてもよく、このように構成することによってファッション性を高めることができる。また、筒状部材４を形成するシート状部材の素材として例えば通気性の悪いもの、又は非通気性のものを用いることによって、防寒のための衣類として用いることができ、また例えばタオル地のものを用いることによって、身体に付着した水、水滴などを吸収して身体を拭くのに利用することができる。
【００２６】
このボディーキャップ２は、筒状部材４がシート状部材から形成されているので折り畳みが容易で、上下方向に縮めて小さくして旅行などに持ち運ぶことができる。入浴などにおいてボディーキャップ２を用いるときには、図１及び図２から理解されるように、畳んだ状態の筒状部材２を広げ、その上伸縮部６（又は下伸縮部８）を径方向に伸ばして広げて足（又は頭部）から入れるようにして身体に装着する。この装着状態においては、図２に示すように、筒状部材４の上伸縮部６が身体Ｈの胸上（胸の上側）に位置し、下伸縮部８が身体Ｈの膝上に位置し、一方（上側）の中間伸縮部１０が胸下に位置し、また他方（下側）の中間伸縮部１２が下腹に位置し、これら伸縮部６，８，１０，１２が身体Ｈの上述した位置に位置することによって、身体Ｈの胸上から膝上までを筒状部材４によって覆い隠すことができる。この装着状態においては、伸縮部６，８，１０，１２の収縮力が身体Ｈに作用するので、適度の収縮力でもって身体Ｈにフィットし、ずり下がることなく身体Ｈを覆い隠すことができ、例えば乳房を切除した女性、胸、腹部になどに大きな手術痕がある人などが入浴する際に好都合に用いることができる。尚、このボディーキャップ２は、上下方向に対称となるように構成されているので、上と下とを逆にしても上述したと同様にして身体Ｈに装着することができ、このように装着した場合、上伸縮部６が下伸縮部として機能し、下伸縮部８が上伸縮部として機能し、また上側の中間伸縮部１０（又は下側の中間伸縮部１２）が下側の中間伸縮部（又は上側の中間伸縮部）として機能する。
【００２７】
次いで、図３〜図７を参照して、ボディーキャップの第２の実施形態について説明する。図３は、本考案のボディーキャップの第２の実施形態を示す正面図であり、図４は、図３のボディーキャップを身に付けた状態を示す図であり、図５は、図３のボディーキャップの一部を拡大して示す部分拡大図であり、図６は、図３のボディーキャップにおけるゴム紐を引き出した状態を示す図であり、図７は、図３のボディーキャップを身体の頭部に被せた状態を示す図である。
【００２８】
図３及び図４において、この第２の実施形態のボディーキャップ２Ａにおいては、筒状部材４Ａの上伸縮部６と下伸縮部８との間に多数（この実施形態では、５つ）の中間伸縮部１０ａ〜１０ｅが設けられている。伸縮部６，８，１０ａ〜１０ｅは第１の実施形態と同様の構成でよく、中間伸縮部１０ａ〜１０ｅは図示するように実質上等間隔に設けられる。このように中間伸縮部１０ａ〜１０ｅの数を多くすることによって、身体Ｈへ装着したときによりフィット感を高め、ずり下がりをより抑えることができ、更に、図２と図４とを比較することによって理解される如く、身体Ｈへ装着したときのファッション性をより高めることができる。
【００２９】
この第２の実施形態では、図５及び図６に示すように、筒状部材４Ｂの上伸縮部６に引出し用穴１８が設けられ、上伸縮部６に設けられたゴム紐２０の一部がこの引出し用穴１８を通して外部に露出するように構成されている。このように構成されているので、露出するゴム紐２０の一部を外部に引き出すと、図６に示すように、上伸縮部６が径方向に大きく収縮され、身体Ｈの頭部に装着可能な状態となる。
【００３０】
このようにゴム紐２０を収縮させた状態の筒状部材４Ａを図７に示すように身体Ｈの頭部に装着するには、例えば、この上収縮部６を下伸縮部８に向けて外側に巻くしてリング状にし、このようにして径方向の大きさが小さくなったボディーキャップ２Ａを頭部に装着するようにすればよい。この装着状態においては、径方向の大きさが小さくなっているので、ボディーキャップ２Ａが頭部からずり落ちることがなく、入浴中に頭部に載せた状態を保つことができる。
【００３１】
この実施形態では、上収縮部６に引出し用穴１８を設けてゴム紐２０の一部を露出させているが、このような構成に代えて、下収縮部８に引出し用穴を設け、かかる引出し用穴を通してゴム紐を外部に露出するように構成してもよく、この場合、下収縮部８が径方向に大きく収縮されるようになる。
【００３２】
次に、図８を参照して、ボディーキャップの第３の実施形態について説明する。図８は、本考案のボディーキャップの第３の実施形態を示す正面図である。図８において、この実施形態では、ボディーキャップ２Ｂの筒状部材４Ｂには、その上端部に上伸縮部６が設けられ、その下端部に下伸縮部８が設けられているが、上伸縮部６と下伸縮部８との間には中間伸縮部が設けられていない。このようなボディーキャップ２Ｂにおいては、身体に装着した状態において、上述したと同様に、上伸縮部６は胸上に位置し、下伸縮部８は膝上に位置し、胸上から膝下までを覆い隠すようになる。尚、このボディーキャップ２Ｂにおいては、中間伸縮部が省略されているので、身体にヒットする部位が少なく、従って子供用などのサイズの小さいものに好都合に適用することができる。
【００３３】
以上、本考案に従うボディーキャップの種々の実施形態について説明したが、本考案はこれら実施形態に限定されるものではなく、本考案の範囲を逸脱することなく種々の変形乃至修正が可能である。
【００３４】
例えば、これらのボディーキャップ２（２Ａ，２Ｂ）は、子供用、大人用、男性用、女性用と装着する身体に合わせて種々の大きさのものを提供することができる。例えば、長さ方向に比して径方向の大きさを大きくすることによって、図９に示すように用いることができる。図９において、このボディーキャップ２Ｃにおいては、筒状部材４Ｃの径方向の大きさが大きく、二人の人が筒状部材４Ｃ内に入ることができるようになっており、例えば、兄弟、友達などが海水浴、プールなどから上がって体を冷やさないように用いることができる。このように屋外で使用する場合、筒状部材４Ｃの表面に紫外線の侵入を防止するためのＵＶカット処理を施すことができ、このようなＵＶカット処理を施すことによって、身体を紫外線から守ることができる。
【００３５】
また、例えば、径方向に比して長さ方向の大きさを大きくすることによって、図１０に示すように用いることができる。図１０において、このボディーキャップ２Ｄにおいては、筒状部材４Ｄの長さ方向の大きさが大きく、一人の人が座って被ることによって首から下（即ち、頭部を除く身体全体）を覆うことができ、例えば防寒着などのように用いることもできる。尚、図９（図１０）のボディーキャップ２Ｃ（２Ｄ）のその他の構成は、図１及び図２に示す第１の実施形態と実質上同一でよい。  
【図面の簡単な説明】
【００３６】
【図１】本考案のボディーキャップの第１の実施形態を示す正面図。
【図２】図１のボディーキャップを身に付けた状態を示す図。
【図３】本考案のボディーキャップの第２の実施形態を示す正面図。
【図４】図３のボディーキャップを身に付けた状態を示す図。
【図５】図３のボディーキャップの一部を拡大して示す部分拡大図。
【図６】図３のボディーキャップにおけゴム紐を引き出した状態を示す図。
【図７】図３のボディーキャップを身体の頭部に被せた状態を示す図。
【図８】本考案のボディーキャップの第３の実施形態を示す正面図。
【図９】本考案のボディーキャップの第４の実施形態を示す正面図。
【図１０】本考案のボディーキャップの第５の実施形態を示す正面図。
【符号の説明】
【００３７】
２，２Ａ，２Ｂ，２Ｃ，２Ｄ  ボディーキャップ
４，４Ａ，４Ｂ，４Ｃ，４Ｄ  筒状部材
６  上伸縮部
８  下伸縮部
１０，１０ａ，１０ｂ，１０ｃ，１０ｄ，１０ｅ，１２  中間伸縮部
１８  引出し用穴
２０  ゴム紐
【図１】
0003116251.tif 000003
【図２】
0003116251.tif 000004
【図３】
0003116251.tif 000005
【図４】
0003116251.tif 000006
【図５】
0003116251.tif 000007
【図６】
0003116251.tif 000008
【図７】
0003116251.tif 000009
【図８】
0003116251.tif 000010
【図９】
0003116251.tif 000011
【図１０】
0003116251.tif 000012